(57)【要約】【課題】吸込口から吸込まれた空気を吸込口とは反対の側に排出することができ、ベランダ壁を吸込口が形成された面の対向壁とすることができる導風ダクトを提供することを目的とする。【解決手段】導風ダクト１は、室外機１０から吹出される空気を吸込む吸込口３と、吸込口３が形成された面と対向する面に、吸込口３から吸込まれた空気を筐体２の外部に吹出す吹出口４と、が形成された筐体２を備え、吹出口４の開口部５は、吸込口３の開口部６よりも高い位置に配置されている。【選択図】図２
2019045123.tif 000002
【特許請求の範囲】
【請求項１】
室外機から吹出される空気を吸込む吸込口と、
前記吸込口が形成された面と対向する面に、前記吸込口から吸込まれた空気を筐体の外部に吹出す吹出口と、
が形成された筐体を備え、
前記吹出口の開口部は、前記吸込口の開口部よりも高い位置に配置されていることを特徴とする導風ダクト。
【請求項２】
前記吹出口の開口部の面積は、前記室外機のファンの吸込断面積以上であることを特徴とする請求項１に記載の導風ダクト。
【請求項３】
前記筐体の奥行きの長さは、５００ｍｍ以上１，０００ｍｍ以下であることを特徴とする請求項１又は請求項２に記載の導風ダクト。
【請求項４】
前記導風ダクトは、前記室外機と密着して配置されることを特徴とする請求項１から請求項３のいずれか一項に記載の導風ダクト。
【請求項５】
室外機から吹出される空気を吸込む吸込口と、前記吸込口が形成された面と対向する面に、前記吸込口から吸込まれた空気を筐体の外部に吹出す吹出口とが形成された筐体を設け、前記吹出口の開口部が前記吸込口の開口部よりも高い位置に配置された導風ダクトを準備する準備工程と、
前記導風ダクトを、前記室外機とベランダ壁との間に、該ベランダ壁が前記導風ダクトの前記吸込口が形成された面と対向するように配置する配置工程と、
を有することを特徴とする導風ダクトの配置方法。
【請求項６】
前記準備工程において、前記導風ダクトとして、前記吹出口の開口部の面積が、前記室外機のファンの吸込断面積以上であるものを準備することを特徴とする請求項５に記載の導風ダクトの配置方法。
【請求項７】
前記準備工程において、前記導風ダクトとして、前記筐体の奥行きの長さが５００ｍｍ以上１，０００ｍｍ以下であるものを準備することを特徴とする請求項５又は請求項６に記載の導風ダクトの配置方法。
【請求項８】
前記配置工程において、前記導風ダクトを、前記室外機と密着して配置することを特徴とする請求項５から請求項７のいずれか一項に記載の導風ダクトの配置方法。
【請求項９】
前記配置工程において、前記導風ダクトを、前記ベランダ壁と密着して配置することを特徴とする請求項５から請求項８のいずれか一項に記載の導風ダクトの配置方法。
【発明の詳細な説明】
【技術分野】
【０００１】
本発明は、導風ダクト及びその配置方法に関するものである。
【背景技術】
【０００２】
従来より、空気調和機の室外機としては、横吹き母型の室外機や上吹き母型の室外機が知られている。このうち、横吹き母型の室外機（特に、１ファン型）には、ベランダに設置した状況やガラリを設置した状況下においては、カレントセーフ保護（過電流保護）制御の作動により、コンプ回転数が不足するという問題がある。この問題の原因は、室外機から吹出された空気が外部に排出されずに再び室外機に吸込まれる現象（ショートサーキット）により、吸込空気温度が外気温より上昇し、それに伴って高圧が上昇することによってコンプ入力（圧縮機入力）が増大することにあると考えられている。
【０００３】
このようなショートサーキットを抑制する技術としては、特許文献１，２のように、ベランダ壁に穴を開けて吹出口を形成する方法や、特許文献３のように、２つの送風機を設け、一方の送風機を停止させたときに停止した送風機に対応するダクトの出口をダンパーで閉じる方法が開発されてきている。
【先行技術文献】
【特許文献】
【０００４】
【特許文献１】実開昭６３−４０７３１号公報
【特許文献２】実公平４−２３４１号公報
【特許文献３】実開平１−９１８２２号公報
【発明の概要】
【発明が解決しようとする課題】
【０００５】
しかしながら、特許文献１，２の方法には、室外機から吹出された空気を排出するための吹出口を形成するために、ベランダ壁に穴を開ける必要があった。また、特許文献３の方法においては、室外機から吹出された空気が上方に向かって排出されるため、室外機のショートサーキットの発生を十分には抑制できないという問題があった。
【０００６】
本発明は、このような事情に鑑みてなされたものであって、吸込口から吸込まれた空気を吸込口とは反対の側に排出することができ、ベランダ壁を吸込口が形成された面の対向壁とすることができる導風ダクト及びその配置方法を提供することを目的とする。
【課題を解決するための手段】
【０００７】
上記課題を解決するために、本発明は以下の手段を採用する。
本発明は、室外機から吹出される空気を吸込む吸込口と、前記吸込口が形成された面と対向する面に、前記吸込口から吸込まれた空気を筐体の外部に吹出す吹出口と、が形成された筐体を備え、前記吹出口の開口部は、前記吸込口の開口部よりも高い位置に配置されている導風ダクトを提供する。
【０００８】
本発明の導風ダクトであれば、吸込口が形成された面と対向する面に吹出口が設けられているため、吸込口から吸込まれた空気を吸込口とは反対の側に排出することができる。また、吹出口の開口部が吸込口の開口部よりも高い位置に配置されているため、吹出口の開口部の下方に、吸込口が形成された面の対向壁となるベランダ壁を設けることができる。即ち、本発明の導風ダクトであれば、室外機から吹出される空気がベランダ壁によって室外機に跳ね返ることなくベランダの外側に排出することができるため、室外機のショートサーキットの発生を抑制することができる。
【０００９】
上記導風ダクトにおいて、前記吹出口の開口部の面積は、前記室外機のファンの吸込断面積以上であることが好ましい。
【００１０】
吹出口の開口部の面積を室外機のファンの吸込断面積以上とすることにより、ファンの吸込と同程度以上の風量を確保することができる。これにより、圧損が付きすぎることを防止することができる。
【００１１】
上記導風ダクトにおいて、前記筐体の奥行きの長さは、５００ｍｍ以上１，０００ｍｍ以下であることが好ましい。
【００１２】
このような導風ダクトであれば、奥行きの長さ（筐体の前後方向の長さ）が長すぎないため、ビル等のベランダに十分に設置可能となる。また、筐体の奥行きの長さが５００ｍｍ以上であれば、筐体内に十分な長さの空気の流路を確保でき、筐体内に吸込まれた空気を排出しやすくなることから、ショートサーキットの抑制効果を十分に得ることができる。
【００１３】
前記導風ダクトは、前記室外機と密着して配置されることが好ましい。
【００１４】
室外機がボルト等で導風ダクトに固定され、密着して配置されていれば、室外機から吹出された空気がベランダ内に漏れることを防止できるため、室外機から吹出された空気を確実に導風ダクト内に流通させることができる。これにより、室外機のショートサーキットの発生をより確実に抑制できる。
【００１５】
また、本発明は、室外機から吹出される空気を吸込む吸込口と、前記吸込口が形成された面と対向する面に、前記吸込口から吸込まれた空気を筐体の外部に吹出す吹出口とが形成された筐体を設け、前記吹出口の開口部が前記吸込口の開口部よりも高い位置に配置された導風ダクトを準備する準備工程と、前記導風ダクトを、前記室外機とベランダ壁との間に、該ベランダ壁が前記導風ダクトの前記吸込口が形成された面と対向するように配置する配置工程と、有する導風ダクトの配置方法を提供する。
【００１６】
本発明の導風ダクトの配置方法であれば、吸込口が形成された面と対向する面に吹出口が設けられた導風ダクトを用いるため、吸込口から吸込まれた空気を吸込口とは反対の側に排出することができる。また、吹出口の開口部が吸込口の開口部よりも高い位置に配置されているため、導風ダクトを、導風ダクトの吸込口が形成された面とベランダ壁が対向するように配置することにより、ベランダ壁を導風ダクトにおける吸込口が形成された面の対向壁とすることができる。即ち、本発明の導風ダクトの配置方法であれば、室外機から吹出される空気がベランダ壁によって室外機に跳ね返ることなくベランダの外側に排出されるように導風ダクトを配置することができるため、室外機のショートサーキットの発生を抑制することができる。
【００１７】
上記導風ダクトの配置方法では、前記準備工程において、前記導風ダクトとして、前記吹出口の開口部の面積が、前記室外機のファンの吸込断面積以上であるものを準備することが好ましい。
【００１８】
導風ダクトとして、吹出口の開口部の面積が室外機のファンの吸込断面積以上のものを用いることにより、ファンの吸込と同程度以上の風量を確保することができる。これにより、圧損が付きすぎることを防止することができる。
【００１９】
上記導風ダクトの配置方法では、前記準備工程において、前記導風ダクトとして、前記筐体の奥行きの長さが５００ｍｍ以上１，０００ｍｍ以下であるものを準備することが好ましい。
【００２０】
このような導風ダクトであれば、奥行きの長さ（筐体の前後方向の長さ）が長すぎないため、ビル等のベランダに十分に設置可能となる。また、筐体の奥行きの長さが５００ｍｍ以上であれば、筐体内に十分な長さの空気の流路を確保でき、筐体内に吸込まれた空気を排出しやすくなることから、ショートサーキットの抑制効果を十分に得ることができる。
【００２１】
上記導風ダクトの配置方法では、前記配置工程において、前記導風ダクトを、前記室外機と密着して配置することが好ましい。
【００２２】
導風ダクトと室外機とをボルト等で固定し、密着して配置することにより、室外機から吹出された空気がベランダ内に漏れることを防止できるため、室外機から吹出された空気を確実に導風ダクト内に流通させることができる。これにより、室外機のショートサーキットの発生をより確実に抑制できる。
【００２３】
上記導風ダクトの配置方法では、前記配置工程において、前記導風ダクトを、前記ベランダ壁と密着して配置することが好ましい。
【００２４】
導風ダクトをベランダ壁と密着して配置することにより、導風ダクト内を流通する空気がベランダ内に漏れることを防止できるため、導風ダクト内を流通する空気を確実にベランダ壁の外側に排出することができる。これにより、室外機のショートサーキットの発生をより確実に抑制できる。
【発明の効果】
【００２５】
本発明の導風ダクト及び導風ダクトの配置方法であれば、室外機から吹出される空気がベランダ壁によって室外機に跳ね返ることなくベランダの外側に排出できるため、室外機のショートサーキットの発生を抑制することができる。
【図面の簡単な説明】
【００２６】
【図１】本発明の導風ダクトをベランダに配置した状態の一例を示す斜視図である。
【図２】本発明の導風ダクトを室外機に密着して配置した状態の一例を示す斜視図である。
【図３】横吹き母型の室外機を概略的に示す斜視図である。
【図４】図１の状態におけるベランダ内部及びベランダ外部の空気の温度分布を調べたシミュレーション結果を示す図である。
【発明を実施するための形態】
【００２７】
以下に、本発明に係る導風ダクト及び導風ダクトの配置方法の一実施形態について、図面を参照して説明する。
【００２８】
〔導風ダクト〕
図１は本発明の導風ダクトをベランダに配置した状態の一例を示す斜視図であり、図２は本発明の導風ダクトを室外機に密着して配置した状態の一例を示す斜視図であり、図３は横吹き母型の室外機を概略的に示す斜視図である。
【００２９】
図３に示される室外機１０は、ケーシング１１の内部にファン１２や、不図示の圧縮機や熱交換器等の各種機器が収納されている。室外機１０の運転時には、室外機１０の吹出口１３から空気が吹出される。
【００３０】
図２に示されるように、導風ダクト１は、筐体２を備えており、筐体２には、室外機１０から吹出される空気を吸込む吸込口３と、吸込口３が形成された面と対向する面に、吸込口３から吸込まれた空気を筐体２の外部に吹出す吹出口４と、が形成されている。このため、導風ダクト１は吸込口３から吸込まれた空気を吸込口３とは反対の側に排出することができる。
【００３１】
また、導風ダクト１においては、吹出口４の開口部５は、吸込口３の開口部６よりも高い位置に配置されている。このため、後述するように、吹出口４の開口部５の下方に、吸込口３が形成された面の対向壁となるベランダ壁を設けることができる。これにより、吸込口３から吸込まれた空気を、吸込口３より上方の吹出口４からベランダの外側（側方）に吹出す構成とすることができる。即ち、本実施形態の導風ダクト１であれば、室外機１０から吹出される空気がベランダ壁によって室外機１０に跳ね返ることなくベランダの外側に排出することができるため、室外機１０のショートサーキットの発生を抑制することができる。
【００３２】
ここで、導風ダクト１は、図２に示されるように、室外機１０と密着して配置されることが好ましい。室外機１０がボルト等で導風ダクト１に固定され、密着して配置されていれば、室外機１０から吹出された空気がベランダ内に漏れることを防止できるため、室外機１０から吹出された空気を確実に導風ダクト１内に流通させることができる。これにより、室外機１０のショートサーキットの発生をより確実に抑制できる。
【００３３】
筐体２の奥行きの長さ（筐体２の前後方向の長さ）は、５００ｍｍ以上１，０００ｍｍ以下であることが好ましい。このような導風ダクト１であれば、奥行きの長さが長すぎないため、ビル等のベランダに十分に設置可能となる。また、筐体２の奥行きの長さが５００ｍｍ以上であれば、筐体２内に十分な長さの空気の流路を確保でき、筐体２内に吸込まれた空気を排出しやすくなることから、ショートサーキットの抑制効果を十分に得ることができる。
【００３４】
筐体２の高さ（上下方向の長さ）としては、特に限定されないが、例えば１，６００ｍｍ以上とすることができる。また、筐体２の幅（横方向の長さ）としては、特に限定されないが、例えば室外機１０の幅と同程度の幅とすることができる。
【００３５】
なお、図２では、筐体２として、吹出口４が形成された面における吹出口４の開口部５の下方の部分や、底部が開口しているかご型の筐体２を一例として示したが、筐体２の構造としてはこれに限定されない。即ち、筐体２として、吹出口４が形成された面における吹出口４の開口部５の下方の部分や、底部が開口していないものを用いても良い。
【００３６】
また、吹出口４の開口部５の面積は、室外機１０のファン１２の吸込断面積以上であることが好ましい。吹出口４の開口部５の面積を室外機１０のファン１２の吸込断面積以上とすることにより、ファン１２の吸込と同程度以上の風量を確保することができる。これにより、圧損が付きすぎることを防止することができる。なお、吹出口４の開口部５の高さ（上下方向の長さ）としては、圧損を考慮すると、例えば５００ｍｍ以上とすることができる。
【００３７】
図１は、上述の導風ダクト１をベランダに配置した状態を示す斜視図である。図１に示されるように、ベランダ２０は、ビル等の外壁２１と、側壁２２ａ，２２ｂと、天井壁２３と、床壁２４と、ベランダ壁２５とからなる。ベランダ２０には、室外機１０が配置されている。本実施形態の導風ダクト１は、このようなベランダ２０に好適に配置することができる。
【００３８】
ここで、図１に示されるように、本実施形態の導風ダクト１は、室外機１０とベランダ壁２５との間に配置されるが、導風ダクト１はベランダ壁２５と密着して配置されることが好ましい。導風ダクト１がベランダ壁２５と密着して配置されていれば、吸込口３から吸込まれた空気は、導風ダクト１の吹出口４からのみ排出されるように構成することができることから、導風ダクト１内を流通する空気がベランダ２０内に漏れることを防止できるため、導風ダクト１内を流通する空気を確実にベランダ壁２５の外側（側方）に排出することができる。これにより、室外機１０のショートサーキットの発生をより確実に抑制できる。
【００３９】
図４は、図１の状態におけるベランダ内部及びベランダ外部の空気の温度分布を調べたシミュレーション結果を示す図である。図４に示されるように、本実施形態の導風ダクト１をベランダ２０に配置することにより、室外機１０から吹出された空気は導風ダクト１内を流通し、ベランダ２０の外側（側方）に向かって排出される。その後、導風ダクト１から排出された空気は斜め右上の方向に向かって上昇していくため、導風ダクト１や室外機１０の後ろ側に流れて再び室外機１０に吸込まれることはないことが分かる。
【００４０】
以上のように、本実施形態の導風ダクトであれば、室外機から吹出される空気がベランダ壁によって室外機に跳ね返ることなくベランダの外側に排出できるため、室外機のショートサーキットの発生を抑制することができる。
【００４１】
〔導風ダクトの配置方法〕
次に、本発明の導風ダクトの配置方法の一例について説明する。
本発明の導風ダクトの配置方法は、上述の本発明の導風ダクトを準備する準備工程と、この導風ダクトを、室外機とベランダ壁との間に、ベランダ壁が導風ダクトの吸込口が形成された面と対向するように配置する配置工程と、を有する。
【００４２】
（準備工程）
準備工程においては、上述した本実施形態の導風ダクトを準備する。ここでは一例として、図２に示す導風ダクト１を準備し、以下の工程を行う。
【００４３】
ここで、導風ダクト１として、筐体２の奥行きの長さ（筐体２の前後方向の長さ）が５００ｍｍ以上１，０００ｍｍ以下であるものを準備することが好ましい。このような導風ダクト１であれば、奥行きの長さが長すぎないため、ビル等のベランダ２０に十分に設置可能となる。また、筐体２の奥行きの長さが５００ｍｍ以上であれば、筐体２内に十分な長さの空気の流路を確保でき、筐体２内に吸込まれた空気を排出しやすくなることから、ショートサーキットの抑制効果を十分に得ることができる。
【００４４】
また、導風ダクト１として、吹出口４の開口部５の面積が、室外機１０のファン１２の吸込断面積以上であるものを準備することが好ましい。導風ダクト１として、吹出口４の開口部５の面積が室外機１０のファン１２の吸込断面積以上のものを用いることにより、ファン１２の吸込と同程度以上の風量を確保することができる。これにより、圧損が付きすぎることを防止することができる。
【００４５】
（配置工程）
次に、図１に示されるように、導風ダクト１を、室外機１０とベランダ壁２５との間に、ベランダ壁２５が導風ダクト１の吸込口３が形成された面と対向するように配置する。
【００４６】
ここで、導風ダクト１を、室外機１０と密着して配置することが好ましい。導風ダクト１と室外機１０とをボルト等で固定し、密着して配置することにより、室外機１０から吹出された空気がベランダ２０内に漏れることを防止できるため、室外機１０から吹出された空気を確実に導風ダクト１内に流通させることができる。これにより、室外機１０のショートサーキットの発生をより確実に抑制できる。
【００４７】
また、導風ダクト１を、ベランダ壁２５と密着して配置することが好ましい。導風ダクト１をベランダ壁２５と密着して配置することにより、吸込口３から吸込まれた空気が導風ダクト１の吹出口４からのみ排出されるように構成することができることから、導風ダクト１内を流通する空気がベランダ２０内に漏れることを防止できるため、導風ダクト１内を流通する空気を確実にベランダ壁２５の外側に排出することができる。これにより、室外機１０のショートサーキットの発生をより確実に抑制できる。
【００４８】
以上のように、本実施形態の導風ダクトの配置方法であれば、室外機から吹出される空気がベランダ壁によって室外機に跳ね返ることなくベランダの外側に排出できるため、室外機のショートサーキットの発生を抑制することができる。
【符号の説明】
【００４９】
１  導風ダクト
２  筐体
３  吸込口
４  吹出口
５  （吹出口の）開口部
６  （吸込口の）開口部
１０  室外機
１１  ケーシング
１２  ファン
１３  （室外機の）吹出口
２０  ベランダ
２１  外壁
２２ａ，２２ｂ  側壁
２３  天井壁
２４  床壁
２５  ベランダ壁
【図１】
2019045123.tif 000003
【図２】
2019045123.tif 000004
【図３】
2019045123.tif 000005
【図４】
2019045123.tif 000006